(57)【特許請求の範囲】
【請求項１】
ワイヤレスキー装置から定期的に無線送信される制御信号に基づいてドア錠の施錠および解錠を制御するドア錠制御装置であって、
解錠を許可する認証情報を記憶する第一認証情報記憶手段と、
前記ワイヤレスキー装置から制御信号を受信する制御信号受信手段と、
前記制御信号受信手段により受信された制御信号に基づいて前記ドア錠の施錠および解錠を制御するドア錠制御手段と、
前記ワイヤレスキー装置を保持可能な保持装置における当該ワイヤレスキー装置の保持状態を検知する保持状態検知手段と、を有し、
前記ドア錠制御手段は、
施錠状態において、前記制御信号受信手段が定期的に受信している制御信号に付加された認証情報が、前記第一認証情報記憶手段に記憶されている認証情報と一致し、且つ当該制御信号の受信電波強度が所定の第一基準値以上である場合に、前記ドア錠を解錠し、
解錠状態において、前記制御信号受信手段が定期的に受信している、前記第一認証情報記憶手段に記憶されている認証情報と一致する認証情報が付加された制御信号の受信電波強度が、前記第一基準値未満となった場合に、前記ドア錠を施錠するとともに、
前記保持状態検知手段により前記ワイヤレスキー装置が前記保持装置に保持されていることが検知されている場合、前記制御信号受信手段が定期的に受信している制御信号に付加された認証情報が前記第一認証情報記憶手段に記憶されている認証情報と一致し、且つ当該制御信号の受信電波強度が前記所定の第一基準値以上であっても、前記ドア錠を施錠する
ことを特徴とするドア錠制御装置。
【請求項２】
請求項１に記載のドア錠制御装置であって、
ドアに前記ドア錠が取り付けられた部屋の案内灯の点灯および消灯を制御する案内灯制御手段をさらに有し、
前記案内灯制御手段は、
消灯状態において、前記制御信号受信手段が定期的に受信している制御信号に付加された認証情報が、前記第一認証情報記憶手段に記憶されている認証情報と一致し、且つ当該制御信号の受信電波強度が、前記第一基準値より低い所定の第二基準値以上である場合に、前記案内灯を点灯し、
点灯状態において、前記制御信号受信手段が定期的に受信している、前記第一認証情報記憶手段に記憶されている認証情報と一致する認証情報が付加された制御信号の受信電波強度が前記第二基準値未満となった場合に、前記案内灯を消灯する
ことを特徴とするドア錠制御装置。
【請求項３】
認証情報が付加された制御信号を定期的に無線送信するワイヤレスキー装置と、
前記ワイヤレスキー装置から定期的に無線送信される制御信号に基づいてドア錠の施錠および解錠を制御するドア錠制御装置と、
前記ドア錠制御装置に接続されたドア錠管理装置と、を備え、
前記ドア錠制御装置は、
解錠を許可する認証情報を記憶する第一認証情報記憶手段と、
前記ワイヤレスキー装置から制御信号を受信する制御信号受信手段と、
前記制御信号受信手段により受信された制御信号に基づいて前記ドア錠の施錠および解錠を制御するドア錠制御手段と、
前記ドア錠管理装置から登録要求を受信した場合に、当該登録要求に付加された認証情報を前記第一認証情報記憶手段に記憶し、前記ドア錠管理装置から消去要求を受信した場合に、前記第一認証情報記憶手段に記憶されている認証情報を消去する第一認証情報記憶制御手段と、を有し、
前記ワイヤレスキー装置は、
認証情報を記憶する第二認証情報記憶手段と、
前記第二認証情報記憶手段に認証情報が記憶されている場合に、当該認証情報が付加された制御信号を定期的に無線送信する無線送信手段と、を有し、
前記ドア錠管理装置は、
前記ワイヤレスキー装置の前記第二認証情報記憶手段に対する認証情報の記憶および消去を制御する第二認証情報記憶制御手段と、
前記第二認証情報記憶制御手段により前記ワイヤレスキー装置の前記第二認証情報記憶手段に認証情報が記憶された場合に、当該認証情報が付加された登録要求を前記ドア錠制御装置に送信し、前記第二認証情報記憶制御手段により前記ワイヤレスキー装置の前記第二認証情報記憶手段から認証情報が消去された場合に、消去要求を前記ドア錠制御装置に送信する要求送信手段と、を有し、
前記ドア錠制御手段は、
施錠状態において、前記制御信号受信手段が定期的に受信している制御信号に付加された認証情報が、前記第一認証情報記憶手段に記憶されている認証情報と一致し、且つ当該制御信号の受信電波強度が所定の第一基準値以上である場合に、前記ドア錠を解錠し、
解錠状態において、前記制御信号受信手段が定期的に受信している、前記第一認証情報記憶手段に記憶されている認証情報と一致する認証情報が付加された制御信号の受信電波強度が、前記第一基準値未満となった場合に、前記ドア錠を施錠する
ことを特徴とするドア錠制御システム。
【請求項４】
請求項３に記載のドア錠制御システムであって、
前記ドア錠制御装置は、
ドアに前記ドア錠が取り付けられた部屋の案内灯の点灯および消灯を制御する案内灯制御手段をさらに有し、
前記案内灯制御手段は、
消灯状態において、前記制御信号受信手段が定期的に受信している制御信号に付加された認証情報が、前記第一認証情報記憶手段に記憶されている認証情報と一致し、且つ当該制御信号の受信電波強度が、前記第一基準値より低い所定の第二基準値以上である場合に、前記案内灯を点灯し、
点灯状態において、前記制御信号受信手段が定期的に受信している、前記第一認証情報記憶手段に記憶されている認証情報と一致する認証情報が付加された制御信号の受信電波強度が前記第二基準値未満となった場合に、前記案内灯を消灯する
ことを特徴とするドア錠制御システム。
【請求項５】
請求項３または４に記載のドア錠制御システムであって、
前記ドア錠制御装置は、
前記ワイヤレスキー装置を保持可能な保持装置における当該ワイヤレスキー装置の保持状態を検知する保持状態検知手段をさらに有し、
前記ドア錠制御手段は、
前記保持状態検知手段により前記ワイヤレスキー装置が前記保持装置に保持されていることが検知されている場合、前記制御信号受信手段が定期的に受信している制御信号に付加された認証情報が前記第一認証情報記憶手段に記憶されている認証情報と一致し、且つ当該制御信号の受信電波強度が所定の第一基準値以上であっても、前記ドア錠を施錠する
ことを特徴とするドア錠制御システム。
【請求項６】
ドア錠制御装置を用いて、ワイヤレスキー装置から定期的に無線送信される制御信号に基づいてドア錠の施錠および解錠を制御するドア錠制御方法であって、
前記ドア錠制御装置は、
施錠状態において、前記ワイヤレスキー装置より定期的に受信している制御信号に付加された認証情報が自身に記憶されている認証情報と一致し、且つこの制御信号の受信電波強度が所定の第一基準値以上である場合に、前記ドア錠を解錠し、
解錠状態において、前記ワイヤレスキー装置より定期的に受信している、自身に記憶されている認証情報と一致する認証情報が付加された制御信号の受信電波強度が、前記第一基準値未満となった場合に、前記ドア錠を施錠するとともに、
前記ワイヤレスキー装置を保持可能な保持装置における当該ワイヤレスキー装置の保持状態の検知結果が、前記ワイヤレスキー装置が前記保持装置に保持されていることを示している場合、前記ワイヤレスキー装置より定期的に受信している制御信号に付加された認証情報が自身に記憶されている認証情報と一致し、且つ当該制御信号の受信電波強度が前記所定の第一基準値以上であっても、前記ドア錠を施錠する
ことを特徴とするドア錠制御方法。
【請求項７】
ドア錠管理装置が接続されたドア錠制御装置を用いて、ワイヤレスキー装置から定期的に無線送信される制御信号に基づいてドア錠の施錠および解錠を制御するドア錠制御方法であって、
前記ワイヤレスキー装置は、
認証情報を記憶している場合に、当該認証情報が付加された制御信号を定期的に無線送信し、
前記ドア錠制御装置は、
前記ドア錠管理装置から登録要求を受信した場合に、当該登録要求に付加された認証情報を記憶し、前記ドア錠管理装置から消去要求を受信した場合に、記憶している認証情報を消去し、
施錠状態において、前記ワイヤレスキー装置より定期的に受信している制御信号に付加された認証情報が自身に記憶されている認証情報と一致し、且つこの制御信号の受信電波強度が所定の第一基準値以上である場合に、前記ドア錠を解錠し、
解錠状態において、前記ワイヤレスキー装置より定期的に受信している、自身に記憶されている認証情報と一致する認証情報が付加された制御信号の受信電波強度が、前記第一基準値未満となった場合に、前記ドア錠を施錠し、
前記ドア錠管理装置は、
前記ワイヤレスキー装置に認証情報を記憶した場合に、当該認証情報が付加された登録要求を前記ドア錠制御装置に送信し、
前記ワイヤレスキー装置に記憶されている認証情報を消去した場合に、消去要求を前記ドア錠制御装置に送信する
ことを特徴とするドア錠制御方法。
【発明の詳細な説明】
【技術分野】
【０００１】
本発明は、ドア錠の施錠および解錠を自動化する技術に関する。
【背景技術】
【０００２】
特許文献１には、携帯端末により施錠および解錠が可能な電子錠が開示されている。この電子錠は、携帯端末から送信されたＮＦＣ（Ｎｅａｒ  Ｆｉｅｌｄ  Ｃｏｍｍｕｎｉｃａｔｉｏｎ）通信用の電波を電源として駆動し、認証回路および解錠装置を備えている。認証回路は、ＮＦＣ通信により携帯端末から認証情報を受信して、この認証情報と予め記憶している認識情報とを照合する。そして、両者が一致しているならば解錠信号を生成する。解錠装置は、認証回路により解錠信号が生成されると、ロックを解錠する。
【先行技術文献】
【特許文献】
【０００３】
【特許文献１】特開２０１５−９４１２３号公報
【発明の概要】
【発明が解決しようとする課題】
【０００４】
例えば、特許文献１に記載の電子錠をホテルの部屋のドア錠制御装置に利用することにより、ホテルの利用者は、ドアの鍵穴に鍵を差し込んで回すことなく、解錠することが可能となる。しかしながら、認証情報が記憶された携帯端末をドアに近付けて、ドアに組み込まれた電子錠に電力を供給するとともに、携帯端末に記憶されている認証情報を電子錠に読み込ませる必要があるため、チェックインして部屋に入室する際など、荷物で両手が塞がっている場合、ドア前で荷物を一旦手放し、携帯端末を取り出してドアに近付ける操作が必要となり、煩雑である。
【０００５】
本発明は上記事情に鑑みてなされたものであり、本発明の目的は、特別な操作を必要とすることなく、ドアの施錠および解錠を可能とする技術を提供することにある。
【課題を解決するための手段】
【０００６】
上記課題を解決するために、本発明のドア錠制御装置は、認証情報が付加された制御信号を定期的に無線送信するワイヤレスキー装置を用いてドア錠の施錠および解錠を制御する。施錠状態において、ワイヤレスキー装置より定期的に受信している制御信号に付加された認証情報が自身に記憶されている認証情報と一致し、且つこの制御信号の受信電波強度が所定の第一基準値以上である場合に、ドア錠を解錠する。そして、解錠状態においては、ワイヤレスキー装置より定期的に受信している、自身に記憶されている認証情報と一致する認証情報が付加された制御信号の受信電波強度が第一基準値未満となった場合に、ドア錠を施錠する。
【０００７】
例えば、本発明のドア錠制御装置は、
ワイヤレスキー装置から定期的に無線送信される制御信号に基づいてドア錠の施錠および解錠を制御するドア錠制御装置であって、
認証情報を記憶する第一認証情報記憶手段と、
前記ワイヤレスキー装置から制御信号を受信する制御信号受信手段と、
前記制御信号受信手段により受信された制御信号に基づいて前記ドア錠の施錠および解錠を制御するドア錠制御手段と、
前記ワイヤレスキー装置を保持可能な保持装置における当該ワイヤレスキー装置の保持状態を検知する保持状態検知手段と、を有し、
前記ドア錠制御手段は、
施錠状態において、前記制御信号受信手段が定期的に受信している制御信号に付加された認証情報が、前記第一認証情報記憶手段に記憶されている認証情報と一致し、且つ当該制御信号の受信電波強度が所定の第一基準値以上である場合に、前記ドア錠を解錠し、
解錠状態において、前記制御信号受信手段が定期的に受信している、前記第一認証情報記憶手段に記憶されている認証情報と一致する認証情報が付加された制御信号の受信電波強度が、前記第一基準値未満となった場合に、前記ドア錠を施錠するとともに、
前記保持状態検知手段により前記ワイヤレスキー装置が前記保持装置に保持されていることが検知されている場合、前記制御信号受信手段が定期的に受信している制御信号に付加された認証情報が前記第一認証情報記憶手段に記憶されている認証情報と一致し、且つ当該制御信号の受信電波強度が前記所定の第一基準値以上であっても、前記ドア錠を施錠する。
また、本発明のドア錠制御システムは、
認証情報が付加された制御信号を定期的に無線送信するワイヤレスキー装置と、
前記ワイヤレスキー装置から定期的に無線送信される制御信号に基づいてドア錠の施錠および解錠を制御するドア錠制御装置と、
前記ドア錠制御装置に接続されたドア錠管理装置と、を備え、
前記ドア錠制御装置は、
解錠を許可する認証情報を記憶する第一認証情報記憶手段と、
前記ワイヤレスキー装置から制御信号を受信する制御信号受信手段と、
前記制御信号受信手段により受信された制御信号に基づいて前記ドア錠の施錠および解錠を制御するドア錠制御手段と、
前記ドア錠管理装置から登録要求を受信した場合に、当該登録要求に付加された認証情報を前記第一認証情報記憶手段に記憶し、前記ドア錠管理装置から消去要求を受信した場合に、前記第一認証情報記憶手段に記憶されている認証情報を消去する第一認証情報記憶制御手段と、を有し、
前記ワイヤレスキー装置は、
認証情報を記憶する第二認証情報記憶手段と、
前記第二認証情報記憶手段に認証情報が記憶されている場合に、当該認証情報が付加された制御信号を定期的に無線送信する無線送信手段と、を有し、
前記ドア錠管理装置は、
前記ワイヤレスキー装置の前記第二認証情報記憶手段に対する認証情報の記憶および消去を制御する第二認証情報記憶制御手段と、
前記第二認証情報記憶制御手段により前記ワイヤレスキー装置の前記第二認証情報記憶手段に認証情報が記憶された場合に、当該認証情報が付加された登録要求を前記ドア錠制御装置に送信し、前記第二認証情報記憶制御手段により前記ワイヤレスキー装置の前記第二認証情報記憶手段から認証情報が消去された場合に、消去要求を前記ドア錠制御装置に送信する要求送信手段と、を有し、
前記ドア錠制御手段は、
施錠状態において、前記制御信号受信手段が定期的に受信している制御信号に付加された認証情報が、前記第一認証情報記憶手段に記憶されている認証情報と一致し、且つ当該制御信号の受信電波強度が所定の第一基準値以上である場合に、前記ドア錠を解錠し、
解錠状態において、前記制御信号受信手段が定期的に受信している、前記第一認証情報記憶手段に記憶されている認証情報と一致する認証情報が付加された制御信号の受信電波強度が、前記第一基準値未満となった場合に、前記ドア錠を施錠する。
【発明の効果】
【０００８】
本発明では、ドア錠制御装置が、ワイヤレスキー装置より定期的に受信している制御信号に付加された認証情報が自身に記憶されている認証情報と一致し、且つこの制御信号の受信電波強度が所定の第一基準値以上である場合に、ドア錠を解錠する。そして、この自身に記憶されている認証情報と一致する認証情報が付加された制御信号の受信電波強度が第一基準値未満となった場合に、ドア錠を施錠する。したがって、本発明によれば、第一基準値を適切な値に設定することにより、ワイヤレスキー装置を携帯する利用者は、ワイヤレスキー装置を手にしてドアに近付けるといった特別な操作を行うことなく、ドアに近づくあるいはドアから離れるだけで、ドアを解錠あるいは施錠することが可能となる。
【図面の簡単な説明】
【０００９】
【図１】図１は、本発明の一実施の形態に係るドア錠制御システムの概略構成図である。
【図２】図２は、本発明の一実施の形態に係るドア錠制御システムの第一の動作例を説明するためのシーケンス図である。
【図３】図３は、本発明の一実施の形態に係るドア錠制御システムの第二の動作例を説明するためのシーケンス図である。
【図４】図４は、ドア錠制御装置１の概略機能構成図である。
【図５】図５は、ドア錠制御装置１の動作フローを説明するための図である。
【図６】図６は、ドア錠制御装置１のドア錠制御処理のフローを説明するための図である。
【図７】図７は、ドア錠制御装置１のドア錠制御処理のフローを説明するための図である。
【図８】図８は、ワイヤレスキーホルダ２の概略機能構成図である。
【図９】図９は、ワイヤレスキーホルダ２の動作フローを説明するための図である。
【図１０】図１０は、ワイヤレスキー３の概略機能構成図である。
【図１１】図１１は、ワイヤレスキー３の動作フローを説明するための図である。
【図１２】図１２は、ドア錠管理装置４の概略機能構成図である。
【図１３】図１３は、部屋利用・予約状況記憶部４４の登録内容を模式的に表した図である。
【図１４】図１４は、ドア錠管理装置４の動作フローを説明するための図である。
【発明を実施するための形態】
【００１０】
以下に、本発明の一実施の形態について説明する。
【００１１】
図１は、本実施の形態に係るドア錠制御システムの概略構成図である。
【００１２】
本実施の形態に係るドア錠制御システムは、ホテル、旅館等の施設に利用され、施設の各部屋（Ａ号室〜Ｃ号室）に設置されたドア錠制御装置１−１〜１−３（以下、単にドア錠制御装置１とも呼ぶ）およびワイヤレスキーホルダ（ＷＫホルダ）２−１〜２−３（以下、単にワイヤレスキーホルダ２とも呼ぶ）と、予め施設の利用者に配布されたワイヤレスキー（ＷＫ）３と、施設の受付カウンタ等に設置され、ＬＡＮ、無線ＬＡＮ等の通信ネットワーク７を介して各部屋のドア錠制御装置１に接続されたドア錠管理装置４と、を備える。なお、施設の各部屋のドアにはドア錠５−１〜５−３（以下、単にドア錠５とも呼ぶ）が設置され、さらに、ドア上方の壁には、案内灯６−１〜６−３（以下、単に案内灯６とも呼ぶ）が設置されている。
【００１３】
ドア錠制御装置１は、ワイヤレスキー３から定期的に無線送信されるビーコン信号、ワイヤレスキーホルダ２から出力される信号、およびドア錠管理装置４から受信する認証情報に基づいて、自ドア錠制御装置１が設置された部屋のドア錠５の施錠および解錠と、自ドア錠制御装置１が設置された部屋の案内灯６の点灯および消灯を制御する。
【００１４】
ワイヤレスキーホルダ２は、自ワイヤレスキーホルダ２に対するワイヤレスキー３の載置状態を示す信号を、自ワイヤレスキーホルダ２と同じ部屋に設置されたドア錠制御装置１に出力する。また、ワイヤレスキーホルダ２は、自ワイヤレスキーホルダ２に載置されているワイヤレスキー３を充電する。
【００１５】
ワイヤレスキー３は、ドア錠管理装置４によって解除パスワードが自ワイヤレスキー３に書き込まれると、この解除パスワードと自ワイヤレスキー３に予め登録されている会員ＩＤとを含む認証情報が付加されたビーコン信号を定期的に無線送信する。そして、ドア錠管理装置４によって解除パスワードが自ワイヤレスキー３から消去されると、ビーコン信号の無線送信を停止する。
【００１６】
ドア錠管理装置４は、ワイヤレスキー３に対して解除パスワードの書込みおよび消去を行う。また、ワイヤレスキー３から会員ＩＤを読み出して、このワイヤレスキー３を携帯する利用者に割り当てた部屋に設置されているドア錠制御装置１に対して、会員ＩＤおよび解除パスワードを含む認証情報の設定および解除を要求する。
【００１７】
図２は、本実施の形態に係るドア錠制御システムの第一の動作例を説明するためのシーケンス図である。このフローでは、施設の利用者がチェックインして、自身に割り当てられたＡ号室に入室する際の動作例を示している。
【００１８】
まず、利用者が、受付カウンタに移動し、ドア錠管理装置４をワイヤレスキー３でタッチする等の所定のチェックイン操作を行うと（Ｓ１０１）、ドア錠管理装置４は、ワイヤレスキー３から、ワイヤレスキー３に予め記憶されている利用者の会員ＩＤを読み込む（Ｓ１０２）。
【００１９】
つぎに、ドア錠管理装置４は、部屋割当処理を実施して、利用者に、利用を許可する部屋を割り当てる（Ｓ１０３）。ここでは、Ａ号室が割り当てられたものとする。それから、ドア錠管理装置４は、割り当てたＡ号室の部屋番号を利用者に通知するとともに、料金算出処理を実施して、利用者にＡ号室の利用料金を要求する（Ｓ１０４）。
【００２０】
その後、ドア錠管理装置４は、ワンタイムパスワードである解除パスワード（ＰＷ）を発行する（Ｓ１０５）。そして、ドア錠管理装置４は、発行した解除パスワードを伴う解除パスワード書込要求をワイヤレスキー３に送信するとともに（Ｓ１０６）、利用者の会員ＩＤおよび解除パスワードを含む認証情報を伴う認証情報設定要求を、通信ネットワーク７を介して、利用者に割り当てたＡ号室に設置されているドア錠制御装置１−１に送信する（Ｓ１０７）。
【００２１】
ワイヤレスキー３は、ドア錠管理装置４から解除パスワード書込要求を受信すると、この解除パスワード書込要求に付加されている解除パスワードを記憶する（Ｓ１０８）。それから、ワイヤレスキー３は、利用者の会員ＩＤおよび解除パスワードを含む認証情報を伴うビーコン信号の定期（例えば１秒毎）送信を開始する（Ｓ１０９）。
【００２２】
一方、ドア錠制御装置１−１は、ドア錠管理装置４から認証情報設定要求を受信すると、この認証情報設定要求に付加されている認証情報（会員ＩＤ、解除パスワード）を自ドア錠制御装置１−１に設定する（Ｓ１１０）。また、ワイヤレスキー３から定期送信されるビーコン信号の受信を開始する（Ｓ１１１）。そして、受信したビーコン信号に付加されている認証情報が、自ドア錠制御装置１−１に設定されている認証情報と一致するか否かを判断し、一致するならばそのビーコン信号の受信電波強度を測定する。
【００２３】
さて、利用者が、自身に割り当てられたＡ号室を探しながら、この部屋の近くまで移動してくると、ワイヤレスキー３から定期送信されるビーコン信号のドア錠制御装置１−１での受信電波強度が強くなる。そして、ドア錠制御装置１−１は、受信したビーコン信号に付加されている認証情報が、自ドア錠制御装置１−１に設定されている認証情報と一致し、且つこのビーコン信号の受信電波強度が所定の第二基準値Ｔ２以上となったことを検出すると（Ｓ１１２）、Ａ号室の案内灯６−１を点灯させ（Ｓ１１３）、利用者にＡ号室の位置を知らせる。
【００２４】
つぎに、利用者が案内灯６−１に気付いてＡ号室の近くまでさらに移動すると、ワイヤレスキー３から定期送信されるビーコン信号のドア錠制御装置１−１での受信電波強度がさらに強くなる。そして、ドア錠制御装置１−１は、受信したビーコン信号に付加されている認証情報が、自ドア錠制御装置１−１に設定されている認証情報と一致し、且つこのビーコン信号の受信電波強度が第二基準値Ｔ２より大きな所定の第一基準値Ｔ１以上となったことを検出すると（Ｓ１１４）、Ａ号室のドア錠５−１を解錠する（Ｓ１１５）。これにより、利用者は、荷物で両手が塞がっている場合に、ドア前で荷物を一旦手放してワイヤレスキー３をドアに近付けるなどの特別な操作をしなくても、ドアを解錠することができる。
【００２５】
その後、利用者がＡ号室に入室し、ワイヤレスキー３をＡ号室のワイヤレスキーホルダ２−１に載置したものとする（Ｓ１１６）。ワイヤレスキーホルダ２−１は、自ワイヤレスキーホルダ２−１にワイヤレスキー３が載置されたことを検知すると（Ｓ１１７）、載置状態が「非載置」から「載置」に変化したことを示す載置信号をドア錠制御装置１−１に送信する。また、自ワイヤレスキーホルダ２−１に載置されたワイヤレスキー３の充電を開始する（Ｓ１１８）。
【００２６】
つぎに、ドア錠制御装置１−１は、ワイヤレスキーホルダ２−１から載置信号を受信すると、ドア錠５−１を施錠して、案内灯６−１を消灯する（Ｓ１１９）。また、ワイヤレスキー３から定期送信されるビーコン信号の受信を停止する（Ｓ１２０）。
【００２７】
図３は、本実施の形態に係るドア錠制御システムの第二の動作例を説明するためのシーケンス図である。このフローでは、施設の利用者がＡ号室から退室してチェックアウトする際の動作例を示している。
【００２８】
まず、Ａ号室に在室中の利用者が、ワイヤレスキー３をＡ号室のワイヤレスキーホルダ２−１から取り出して携帯したものとする（Ｓ１５１）。ワイヤレスキーホルダ２−１は、自ワイヤレスキーホルダ２−１からワイヤレスキー３が取り外されたことを検知すると（Ｓ１５２）、載置状態が「載置」から「非載置」に変化したことを示す非載置信号をドア錠制御装置１−１に送信する。また、ワイヤレスキー３の充電を終了する（Ｓ１５３）。
【００２９】
つぎに、ドア錠制御装置１−１は、ワイヤレスキーホルダ２−１から非載置信号を受信すると、ワイヤレスキー３から定期送信されるビーコン信号の受信を再開する（Ｓ１５４）。そして、受信したビーコン信号に付加されている認証情報が、自ドア錠制御装置１−１に設定されている認証情報と一致するか否かを判断し、一致するならばそのビーコン信号の受信電波強度を測定する。ここで、ワイヤレスキー３を携帯する利用者は、Ａ号室内にいるので、ワイヤレスキー３から定期送信されるビーコン信号のドア錠制御装置１−１での受信電波強度は第一基準値Ｔ１以上となる。ドア錠制御装置１−１は、これを検知して（Ｓ１５５）、ドア錠５−１を解錠する（Ｓ１５６）。
【００３０】
利用者がＡ号室から退室して、Ａ号室から離れると、ワイヤレスキー３から定期送信されるビーコン信号のドア錠制御装置１−１での受信電波強度が弱くなる。そして、ドア錠制御装置１−１は、受信したビーコン信号に付加されている認証情報が、自ドア錠制御装置１−１に設定されている認証情報と一致し、且つこのビーコン信号の受信電波強度が第一基準値Ｔ１未満となったことを検出すると（Ｓ１５７）、ドア錠５−１を施錠する（Ｓ１５８）。
【００３１】
つぎに、利用者が、受付カウンタに移動して、ドア錠管理装置４をワイヤレスキー３でタッチする等の所定のチェックアウト操作を行うと（Ｓ１５９）、ドア錠管理装置４は、ワイヤレスキー３から、このワイヤレスキー３に予め記憶されている利用者の会員ＩＤを読み込む（Ｓ１６０）。
【００３２】
つぎに、ドア錠管理装置４は、部屋割当解除処理を実施して、ワイヤレスキー３から読み込んだ会員ＩＤにより特定される利用者に対する部屋（Ａ号室）の割り当てを解除する（Ｓ１６１）。それから、ドア錠管理装置４は、追加料金算出処理を実施して、必要に応じて、利用者にＡ号室の延長利用料金等の追加料金を要求する（Ｓ１６２）。
【００３３】
その後、ドア錠管理装置４は、解除パスワード消去要求をワイヤレスキー３に送信するとともに（Ｓ１６３）、認証情報解除要求を、通信ネットワーク７を介して、利用者への割り当てを解除したＡ号室に設置されているドア錠制御装置１−１に送信する（Ｓ１６４）。
【００３４】
ワイヤレスキー３は、ドア錠管理装置４から解除パスワード消去要求を受信すると、自ワイヤレスキー３に記憶されている解除パスワードを削除する（Ｓ１６５）。また、ワイヤレスキー３は、ビーコン信号の定期送信を終了する（Ｓ１６６）。
【００３５】
一方、ドア錠制御装置１−１は、ドア錠管理装置４から認証情報解除要求を受信すると、自ドア錠制御装置１−１に設定されている認証情報（会員ＩＤ、解除パスワード）を解除する（Ｓ１６７）。また、ビーコン信号の受信を終了する（Ｓ１６８）。
【００３６】
つぎに、本実施の形態に係るドア錠制御システムを構成するドア錠制御装置１、ワイヤレスキーホルダ２、ワイヤレスキー３、およびドア錠管理装置４の詳細を説明する。なお、ドア錠５および案内灯６には、既存の装置を用いることができるので、その詳細な説明を省略している。
【００３７】
まず、ドア錠制御装置１について説明する。
【００３８】
図４は、ドア錠制御装置１の概略機能構成図である。
【００３９】
図示するように、ドア錠制御装置１は、通信ネットワークインターフェース部１０と、ビーコン信号受信部１１と、ワイヤレスキーホルダインターフェース部１２と、ドア錠インターフェース部１３と、案内灯インターフェース部１４と、ドア錠制御部１５と、案内灯制御部１６と、認証情報記憶部１７と、主制御部１８と、を備えている。
【００４０】
通信ネットワークインターフェース部１０は、通信ネットワーク７を介してドア錠管理装置４と通信を行うためのインターフェースである。
【００４１】
ビーコン信号受信部１１は、Ｂｌｕｅｔｏｏｔｈ（登録商標）  Ｌｏｗ  Ｅｎｅｒｇｙ等の近距離無線通信を用いてワイヤレスキー３から定期送信されるビーコン信号を受信する。また、ビーコン信号受信部１１は、受信したビーコン信号の受信電波強度を測定する。
【００４２】
ワイヤレスキーホルダインターフェース部１２は、ワイヤレスキーホルダ２と通信を行うためのインターフェースである。
【００４３】
ドア錠インターフェース部１３は、ドア錠５に制御信号を送信するためのインターフェースである。
【００４４】
案内灯インターフェース部１４は、案内灯６に制御信号を送信するためのインターフェースである。
【００４５】
ドア錠制御部１５は、ドア錠インターフェース部１３を介してドア錠５に制御信号を送信することによりドア錠５の施錠および解錠を制御する。
【００４６】
案内灯制御部１６は、案内灯インターフェース部１４を介して案内灯６に制御信号を送信することにより案内灯６の点灯および消灯を制御する。
【００４７】
認証情報記憶部１７は、ドア錠管理装置４から受け取った認証情報（会員ＩＤ、解除パスワード）を記憶する。
【００４８】
主制御部１８は、ドア錠制御装置１の各部１０〜１７を統括的に制御する。
【００４９】
図５は、ドア錠制御装置１の動作フローを説明するための図である。
【００５０】
主制御部１８は、通信ネットワーク７を介してドア錠管理装置４から認証情報設定要求を受信すると（Ｓ２００でＹＥＳ）、この認証情報設定要求に付加されている認証情報を認証情報記憶部１７に記憶して、自ドア錠制御装置１に認証情報を設定する（Ｓ２０１）。また、ビーコン信号受信部１１を有効にして、ワイヤレスキー３から定期送信されるビーコン信号の受信を開始するとともに（Ｓ２０２）、後述のドア錠制御処理を開始する（Ｓ２０３）。その後、主制御部１８は、ドア錠管理装置４から認証情報解除要求が送られてくるのを待つ（Ｓ２０４）。
【００５１】
つぎに、主制御部１８は、通信ネットワーク７を介してドア錠管理装置４から認証情報解除要求を受信すると（Ｓ２０４でＹＥＳ）、認証情報記憶部１７に記憶されている認証情報を消去して、自ドア錠制御装置１に設定されている認証情報を解除する（Ｓ２０５）。また、ビーコン信号受信部１１を無効にして、ワイヤレスキー３から定期送信されるビーコン信号の受信を停止するとともに（Ｓ２０６）、ドア錠制御処理を終了する（Ｓ２０７）。その後、Ｓ２００に戻り、主制御部１８は、ドア錠管理装置４から認証情報設定要求が送られてくるのを待つ。
【００５２】
図６および図７は、ドア錠制御装置１のドア錠制御処理のフローを説明するための図である。この処理は、図５において、Ｓ２０３で開始され、Ｓ２０７で終了する。
【００５３】
まず、主制御部１８は、ビーコン信号受信部１１を介してワイヤレスキー３からビーコン信号を受信すると（Ｓ２１０でＹＥＳ）、このビーコン信号に付加されている認証情報と、認証情報記憶部１７に記憶されている認証情報とを比較する。両者が一致しない場合（Ｓ２１１でＮＯ）、Ｓ２１０に戻って、新たにビーコン信号を受信するのを待つ。一方、両者が一致する場合（Ｓ２１１でＹＥＳ）、このビーコン信号の受信電波強度をビーコン信号受信部１１から取得し、この受信電波強度が所定の第二基準値Ｔ２以上であるか否かを調べる（Ｓ２１２）。
【００５４】
ビーコン信号の受信電波強度が第二基準値Ｔ２未満である場合（Ｓ２１２でＮＯ）、主制御部１８は、案内灯６が点灯中であるか否かを判断する（Ｓ２１３）。案内灯６が点灯中であるならば（Ｓ２１３でＹＥＳ）、案内灯制御部１６に消灯を指示する。これを受けて、案内灯制御部１６は、案内灯インターフェース部１４を介して案内灯６に消灯のための制御信号を送信し、案内灯６を消灯する（Ｓ２１４）。それから、Ｓ２１０に戻り、新たにビーコン信号を受信するのを待つ。一方、消灯中であるならば（Ｓ２１３でＮＯ）、案内灯６を消灯のままＳ２１０に戻り、新たにビーコン信号を受信するのを待つ。
【００５５】
一方、ビーコン信号の受信電波強度が第二基準値Ｔ２以上である場合（Ｓ２１２でＹＥＳ）、主制御部１８は、案内灯６が消灯中であるか否かを判断する（Ｓ２１５）。案内灯６が消灯中であるならば（Ｓ２１５でＹＥＳ）、案内灯制御部１６に点灯を指示する。これを受けて、案内灯制御部１６は、案内灯インターフェース部１４を介して案内灯６に点灯のための制御信号を送信し、案内灯６を点灯する（Ｓ２１６）。それから、Ｓ２１７に進む。一方、点灯中であるならば（Ｓ２１５でＮＯ）、案内灯６を点灯のままＳ２１７に進む。
【００５６】
つぎに、Ｓ２１７において、主制御部１８は、ビーコン信号の受信電波強度が所定の第一基準値Ｔ１（＞Ｔ２）以上であるか否かを調べる。ビーコン信号の受信電波強度が第一基準値Ｔ１未満である場合（Ｓ２１７でＮＯ）、主制御部１８は、ドア錠５が解錠中であるか否かを判断する（Ｓ２１８）。ドア錠５が解除中であるならば（Ｓ２１８でＹＥＳ）、ドア錠制御部１５に施錠を指示する。これを受けて、ドア錠制御部１５は、ドア錠インターフェース部１３を介してドア錠５に施錠のための制御信号を送信し、ドア錠５を施錠する（Ｓ２１９）。それから、Ｓ２１０に戻り、新たにビーコン信号を受信するのを待つ。一方、施錠中であるならば（Ｓ２１８でＮＯ）、ドア錠５を施錠のままＳ２１０に戻り、新たにビーコン信号を受信するのを待つ。
【００５７】
一方、ビーコン信号の受信電波強度が第一基準値Ｔ１以上である場合（Ｓ２１７でＹＥＳ）、主制御部１８は、ドア錠５が施錠中であるか否かを判断する（Ｓ２２０）。ドア錠５が施錠中であるならば（Ｓ２２０でＹＥＳ）、ドア錠制御部１５に解錠を指示する。これを受けて、ドア錠制御部１５は、ドア錠インターフェース部１３を介してドア錠５に解錠のための制御信号を送信し、ドア錠５を解錠する（Ｓ２２１）。それから、Ｓ２１０に戻り、新たにビーコン信号を受信するのを待つ。一方、解錠中であるならば（Ｓ２２０でＮＯ）、ドア錠５を解錠のままＳ２１０に戻り、新たにビーコン信号を受信するのを待つ。
【００５８】
また、主制御部１８は、ワイヤレスキーホルダインターフェース部１２を介してワイヤレスキーホルダ２から載置信号を受信すると（Ｓ２３０でＹＥＳ）、ドア錠制御部１５に施錠を指示するとともに、案内灯制御部１６に消灯を指示する。これを受けて、ドア錠制御部１５は、ドア錠インターフェース部１３を介してドア錠５に施錠のための制御信号を送信し、ドア錠５を施錠する。また、案内灯制御部１６は、案内灯インターフェース部１４を介して案内灯６に消灯のための制御信号を送信し、案内灯６を消灯する（Ｓ２３１）。
【００５９】
なお、ワイヤレスキーホルダ２は、ドア錠制御装置１と同じ部屋に設置されているため、この部屋に入室した利用者が携帯するワイヤレスキー３から送信されるビーコン信号の受信電波強度は第一基準値Ｔ１以上となる。このため、ワイヤレスキー３がワイヤレスキーホルダ２に載置される直前の状態においては、ドア錠５、案内灯６が、それぞれ施錠中、点灯中となっている。
【００６０】
つぎに、主制御部１８は、ビーコン信号受信部１１を無効にして、ワイヤレスキー３から定期送信されるビーコン信号の受信を中断し（Ｓ２３３）、その後、ワイヤレスキーホルダインターフェース部１２を介してワイヤレスキーホルダ２から非載置信号を受信するのを待つ（Ｓ２３４）。そして、非載置信号を受信したならば（Ｓ２３４でＹＥＳ）、Ｓ２４０に進む。
【００６１】
つぎに、Ｓ２４０において、主制御部１８は、ビーコン信号受信部１１を有効にして、ワイヤレスキー３から定期送信されるビーコン信号の受信を再開する。主制御部１８は、ビーコン信号受信部１１を介してワイヤレスキー３からビーコン信号を受信するごとに（Ｓ２４１でＹＥＳ）、このビーコン信号に付加されている認証情報と、認証情報記憶部１７に記憶されている認証情報とを比較する。両者が一致しない場合（Ｓ２４２でＮＯ）、Ｓ２４１に戻って新たにビーコン信号を受信するのを待つ。一方、両者が一致する場合（Ｓ２４２でＹＥＳ）、このビーコン信号の受信電波強度をビーコン信号受信部１１から取得し、この受信電波強度が第一基準値Ｔ１未満であるか否かを調べる（Ｓ２４３）。
【００６２】
ビーコン信号の受信電波強度が第一基準値Ｔ１以上である場合（Ｓ２４３でＮＯ）、主制御部１８は、ドア錠５が施錠中であるか否かを判断する（Ｓ２４４）。ドア錠５が施錠中であるならば（Ｓ２４４でＹＥＳ）、ドア錠制御部１５に解錠を指示する。これを受けて、ドア錠制御部１５は、ドア錠インターフェース部１３を介してドア錠５に解錠のための制御信号を送信し、ドア錠５を解錠する（Ｓ２４５）。それから、Ｓ２４１に戻り、新たにビーコン信号を受信するのを待つ。一方、解錠中であるならば（Ｓ２４４でＮＯ）、ドア錠５を解錠のままＳ２４１に戻り、新たにビーコン信号を受信するのを待つ。
【００６３】
ビーコン信号の受信電波強度が第一基準値Ｔ１未満である場合（Ｓ２４３でＹＥＳ）、主制御部１８は、ドア錠５が解錠中であるか否かを判断する（Ｓ２４６）。ドア錠５が解錠中であるならば（Ｓ２４６でＹＥＳ）、ドア錠制御部１５に施錠を指示する。これを受けて、ドア錠制御部１５は、ドア錠インターフェース部１３を介してドア錠５に施錠のための制御信号を送信し、ドア錠５を施錠する（Ｓ２４７）。それから、Ｓ２４８に進む。一方、施錠中であるならば（Ｓ２４６でＮＯ）、ドア錠５を施錠のままＳ２４８に進む。
【００６４】
つぎに、Ｓ２４８において、主制御部１８は、ビーコン信号の受信電波強度が第二基準値Ｔ２（＜Ｔ１）未満であるか否かを調べる。ビーコン信号の受信電波強度が第二基準値Ｔ２以上である場合（Ｓ２４８でＮＯ）、Ｓ２４１に戻って、新たにビーコン信号を受信するのを待つ。一方、ビーコン信号の受信電波強度が第二基準値Ｔ２未満である場合（Ｓ２４８でＹＥＳ）、Ｓ２１０に戻って、新たにビーコン信号を受信するのを待つ。
【００６５】
また、主制御部１８は、ワイヤレスキーホルダインターフェース部１２を介してワイヤレスキーホルダ２から載置信号を受信すると（Ｓ２５０でＹＥＳ）、ドア錠制御部１５に施錠を指示する。これを受けて、ドア錠制御部１５は、ドア錠インターフェース部１３を介してドア錠５に施錠のための制御信号を送信し、ドア錠５を施錠する（Ｓ２５１）。
【００６６】
なお、ワイヤレスキーホルダ２は、ドア錠制御装置１と同じ部屋に設置されているため、この部屋に入室中の利用者が携帯するワイヤレスキー３から送信されるビーコン信号の受信電波強度は第一基準値Ｔ１以上となる。このため、ワイヤレスキー３がワイヤレスキーホルダ２から取り外されるとドア錠５が解錠され、ワイヤレスキー３がワイヤレスキーホルダ２に再度載置される直前の状態においてはドア錠５が解錠中となっている。
【００６７】
つぎに、主制御部１８は、ビーコン信号受信部１１を無効にして、ワイヤレスキー３から定期送信されるビーコン信号の受信を中断し（Ｓ２５２）、その後、ワイヤレスキーホルダインターフェース部１２を介してワイヤレスキーホルダ２から非載置信号を受信するのを待つ（Ｓ２５３）。そして、非載置信号を受信したならば（Ｓ２５３でＹＥＳ）、Ｓ２４０に戻り、ワイヤレスキー３から定期送信されるビーコン信号の受信を再開する。
【００６８】
つぎに、ワイヤレスキーホルダ２について説明する。
【００６９】
図８は、ワイヤレスキーホルダ２の概略機能構成図である。
【００７０】
図示するように、ワイヤレスキーホルダ２は、ドア錠制御装置インターフェース部２０と、載置部２１と、載置状態検出部２２と、載置状態通知部２３と、送電部２４と、送電制御部２５と、を備えている。
【００７１】
ドア錠制御装置インターフェース部２０は、ドア錠制御装置１と通信を行うためのインターフェースである。
【００７２】
載置部２１は、ワイヤレスキー３を載置するための台座である。
【００７３】
載置状態検出部２２は、赤外線センサ、重量センサ、検出スイッチ等を用いて、ワイヤレスキー３の載置部２１への載置状態を検出する。
【００７４】
載置状態通知部２３は、載置状態検出部２２により検出されたワイヤレスキー３の載置状態に従い、ドア錠制御装置インターフェース部２０を介してドア錠制御装置１に、ワイヤレスキー３の載置状態を示す信号（載置信号あるいは非載置信号）を送信する。
【００７５】
送電部２４は、非接触電力伝送等により、載置部２１に載置されているワイヤレスキー３に送電する。
【００７６】
送電制御部２５は、載置状態検出部２２により検出されたワイヤレスキー３の載置状態に従い、送電部２４から載置部２１に載置されているワイヤレスキー３に伝送する電力を制御する。
【００７７】
図９は、ワイヤレスキーホルダ２の動作フローを説明するための図である。
【００７８】
載置状態検出部２２は、載置部２１へのワイヤレスキー３の載置状態が変化すると、これを検出して（Ｓ３００でＹＥＳ）、その変化内容を判断する（Ｓ３０１）。載置状態が「非載置」から「載置」に変化したならば（Ｓ３０１で「非載置」→「載置」）、その旨を載置状態通知部２３および送電制御部２５に通知する。これを受けて、載置状態通知部２３は、ドア錠制御装置インターフェース部２０を介してドア錠制御装置１に載置信号を送信する（Ｓ３０２）。また、送電制御部２５は、送電部２４を介して、載置部２１に載置されているワイヤレスキー３への送電を開始する（Ｓ３０３）。
【００７９】
一方、載置状態が「載置」から「非載置」に変化したならば（Ｓ３０１で「載置」→「非載置」）、その旨を載置状態通知部２３および送電制御部２５に通知する。これを受けて、載置状態通知部２３は、ドア錠制御装置インターフェース部２０を介してドア錠制御装置１に非載置信号を送信する（Ｓ３０４）。また、送電制御部２５は、送電部２４による送電を終了する（Ｓ３０５）。
【００８０】
つぎに、ワイヤレスキー３について説明する。
【００８１】
図１０は、ワイヤレスキー３の概略機能構成図である。
【００８２】
図示するように、ワイヤレスキー３は、ドア錠管理装置インターフェース部３０と、ビーコン信号送信部３１と、受電部３２と、充電制御部３３と、会員ＩＤ記憶部３４と、解除パスワード記憶部３５と、主制御部３６と、を備えている。
【００８３】
ドア錠管理装置インターフェース部３０は、ＮＦＣ（Ｎｅａｒ  Ｆｉｅｌｄ  Ｃｏｍｍｕｎｉｃａｔｉｏｎ）等の近距離無線通信を用いてドア錠管理装置４と通信を行うためのインターフェースである。
【００８４】
ビーコン信号送信部３１は、Ｂｌｕｅｔｏｏｔｈ（登録商標）  Ｌｏｗ  Ｅｎｅｒｇｙ等の近距離無線通信を用いて、認証情報（会員ＩＤ、解除パスワード）が付加されたビーコン信号を定期的に送信する。
【００８５】
受電部３２は、非接触電力伝送等により、自ワイヤレスキー３が載置されているワイヤレスキーホルダ２から受電する。
【００８６】
充電制御部３３は、受電部３２によりワイヤレスキーホルダ２から受電した電力を用いて、自ワイヤレスキー３に電源を供給するバッテリ（不図示）を充電する。
【００８７】
会員ＩＤ記憶部３４には、自ワイヤレスキー３が配布された利用者に固有の識別情報である会員ＩＤが記憶されている。
【００８８】
解除パスワード記憶部３５には、ドア錠管理装置４により発行された解除パスワードが記憶される。
【００８９】
主制御部３６は、ワイヤレスキー３の各部３０〜３５を統括的に制御する。
【００９０】
図１１は、ワイヤレスキー３の動作フローを説明するための図である。
【００９１】
主制御部３６は、ドア錠管理装置インターフェース部３０を介してドア錠管理装置４から会員ＩＤ読出要求を受信すると（Ｓ４００でＹＥＳ）、会員ＩＤ記憶部３４から会員ＩＤを読み出して、ドア錠管理装置インターフェース部３０を介してドア錠管理装置４に送信する（Ｓ４０１）。
【００９２】
また、主制御部３６は、ドア錠管理装置インターフェース部３０を介してドア錠管理装置４から解除パスワード書込要求を受信すると（Ｓ４０２でＹＥＳ）、この解除パスワード書込要求に付加されている解除パスワードを解除パスワード記憶部３５に記憶する（Ｓ４０３）。それから、主制御部３６は、会員ＩＤ記憶部３４に記憶されている会員ＩＤおよび解除パスワード記憶部３５に記憶されている解除パスワードを含む認証情報をビーコン信号送信部３１に通知して、ビーコン信号の送信開始を指示する。これを受けて、ビーコン信号送信部３１は、主制御部３６から通知された認証情報が付加されたビーコン信号の定期送信を開始する（Ｓ４０４）。
【００９３】
また、主制御部３６は、ドア錠管理装置インターフェース部３０を介してドア錠管理装置４から解除パスワード消去要求を受信すると（Ｓ４０５でＹＥＳ）、解除パスワード記憶部３５から解除パスワードを消去する（Ｓ４０６）。それから、主制御部３６は、ビーコン信号送信部３１にビーコン信号の送信停止を指示する。これを受けて、ビーコン信号送信部３１は、ビーコン信号の定期送信を停止する（Ｓ４０７）。
【００９４】
また、受電部３２は、自ワイヤレスキー３が載置されたワイヤレスキーホルダ２から受電すると（Ｓ４０８でＹＥＳ）、受電電力を充電制御部３３に送る。これを受けて、充電制御部３３は、自ワイヤレスキー３に電源を供給するバッテリ（不図示）を充電する（Ｓ４０９）。
【００９５】
つぎに、ドア錠管理装置４について説明する。
【００９６】
図１２は、ドア錠管理装置４の概略機能構成図である。
【００９７】
図示するように、ドア錠管理装置４は、通信ネットワークインターフェース部４０と、ワイヤレスキーインターフェース部４１と、マンマシンインターフェース部４２と、解除パスワード生成部４３と、部屋利用・予約状況記憶部４４と、部屋管理部４５と、料金算出部４６と、主制御部４７と、を備えている。
【００９８】
通信ネットワークインターフェース部４０は、通信ネットワーク７を介してドア錠制御装置１と通信を行うためのインターフェースである。
【００９９】
ワイヤレスキーインターフェース部４１は、ＮＦＣ等の近距離無線通信を用いてワイヤレスキー３と通信を行うためのインターフェースである。
【０１００】
マンマシンインターフェース部４２は、利用者に情報を表示したり、利用者から各種操作を受け付けたりするためのインターフェースであり、タッチセンサ付き液晶ディスプレイ等の入出力装置を備える。
【０１０１】
解除パスワード生成部４３は、会員ＩＤ、現在日時等を用いて、ワンタイムパスワードである解除パスワードを生成する。
【０１０２】
部屋利用・予約状況記憶部４４は、ドア錠制御装置１が設置されている管理対象の各部屋の利用状況に関する情報を記憶する。図１３は、部屋利用・予約状況記憶部４４の登録内容を模式的に表した図である。
【０１０３】
図示するように、部屋利用・予約状況記憶部４４には、管理対象の部屋毎に、その部屋に設置されているドア錠制御装置１のアドレス４４１に対応付けられてテーブル４４０が記憶されており、テーブル４４０には、日付毎のレコード４４２が日付順に記憶されている。レコード４４２は、日付を登録するフィールド４４３と、その日付の日に部屋の利用が許可された利用者（部屋に割り当てられた利用者）の会員ＩＤを登録するフィールド４４４と、その利用者がその日付の日にチェックインした場合に、チェックイン時刻を登録するフィールド４４５と、その利用者がその日付の日にチェックアウトした場合に、チェックアウト時刻を登録するフィールド４４６と、その利用者に対して発行された解除パスワードを登録するフィールド４４７と、を有する。
【０１０４】
部屋管理部４５は、部屋利用・予約状況記憶部４４を用いて管理対象の各部屋の利用・予約状況を管理する。そして、管理結果に基づいて部屋利用・予約状況記憶部４４を更新する。
【０１０５】
料金算出部４６は、部屋利用・予約状況記憶部４４を用いて利用者の料金算出処理を行う。
【０１０６】
主制御部４７は、ドア錠管理装置４の各部４０〜４６を統括的に制御する。
【０１０７】
図１４は、ドア錠管理装置４の動作フローを説明するための図である。
【０１０８】
まず、主制御部４７は、利用者がワイヤレスキー３で自ドア錠管理装置４をタッチすることにより、ワイヤレスキーインターフェース部４１とワイヤレスキー３との間に通信路が確立された状態で、マンマシンインターフェース部４２を介して利用者から所定のチェックイン操作を受け付けると（Ｓ５００でＹＥＳ）、ワイヤレスキーインターフェース部４１を介して、ワイヤレスキー３に会員ＩＤ読出要求を送信し、ワイヤレスキー３から会員ＩＤを受信する（Ｓ５０１）。
【０１０９】
つぎに、主制御部４７は、ワイヤレスキー３から受信した会員ＩＤを部屋管理部４５に通知して、部屋の割り当てを指示する。これを受けて、部屋管理部４５は、部屋利用・予約状況記憶部４４を参照し、利用者が部屋を予約済みであるか否かを判断する（Ｓ５０２）。具体的には、部屋利用・予約状況記憶部４４に記憶されているテーブル４４０のなかから、本日の日付がフィールド４４３に登録され、且つワイヤレスキー３から受信した会員ＩＤがフィールド４４４に登録されているレコード４４２を有するテーブル４４０を検索する。このようなテーブル４４０を検索できた場合、部屋管理部４５は、このテーブル４４０に対応付けられている部屋を利用者が予約済みと判断し（Ｓ５０２でＹＥＳ）、Ｓ５０５に進む。
【０１１０】
一方、このようなテーブル４４０を検索できなかった場合、部屋管理部４５は、利用者が部屋を予約していないものと判断し（Ｓ５０２でＮＯ）、その旨を主制御部４７に知らせる。これを受けて、主制御部４７は、マンマシンインターフェース部４２に宿泊日数の問合せを表示して、利用者から宿泊日数の入力を受け付ける（Ｓ５０３）。そして、受け付けた宿泊日数を部屋管理部４５に知らせる。
【０１１１】
それから、部屋管理部４５は、部屋利用・予約状況記憶部４４を参照し、本日から宿泊最終日まで誰にも割り当てられていない空き部屋を検索する。具体的には、部屋利用・予約状況記憶部４４に記憶されているテーブル４４０のなかから、本日の日付がフィールド４４３に登録されたレコード４４２から、宿泊最終日（本日から宿泊日数後の日）の日付がフィールド４４３に登録されたレコード４４２までの各レコード４４２において、いずれのレコード４４２のフィールド４４４にも会員ＩＤが登録されていないテーブル４４０を検索し、検索したテーブル４４０に対応付けられた部屋（空き部屋）を利用者に割り当てる。そして、このテーブル４４０において、本日の日付がフィールド４４３に登録されたレコード４４２から宿泊最終日の日付がフィールド４４３に登録されたレコード４４２までの各レコード４４２のフィールド４４４に、ワイヤレスキー３から受信した会員ＩＤを登録する（Ｓ５０４）。その後、Ｓ５０５に進む。
【０１１２】
つぎに、Ｓ５０５において、部屋管理部４５は、Ｓ５０２で利用者が予約済みと判断された部屋、あるいはＳ５０４で利用者に割り当てられた部屋に対応付けられているテーブル４４０から、本日の日付がフィールド４４３に登録されたレコード４４２を特定する。そして、このレコード４４２のフィールド４４５にチェックイン時刻として現在時刻を登録する。それから、部屋管理部４５は、主制御部４７に、このテーブル４４０に対応付けられている部屋およびドア錠制御装置１のアドレス４４１の指定を伴う部屋割当完了を通知する。
【０１１３】
主制御部４７は、部屋管理部４５から部屋割当完了を受け取ると、料金算出部４６に、この部屋割当完了で指定されている部屋およびワイヤレスキー３から受信した会員ＩＤの指定を伴う料金算出指示を通知する。これを受けて、料金算出部４６は、部屋利用・予約状況記憶部４４を参照して、料金算出指示で指定されている部屋に対応付けられているテーブル４４０を特定する。そして、このテーブル４４０において、本日の日付がフィールド４４３に登録されたレコード４４２を始点として、料金算出指示で指定された会員ＩＤがフィールド４４４に登録されているレコード４４２がいくつ連続しているかを調べ、この連続するレコード数より特定される宿泊日数に応じた利用料金を算出する（Ｓ５０６）。それから、料金算出部４６は、主制御部４７に、算出した利用料金を通知する。主制御部４７は、マンマシンインターフェース部４２に、料金算出部４６から受け取った利用料金を表示して、利用者に利用料金の清算を要求する。
【０１１４】
つぎに、主制御部４７は、解除パスワード生成部４３に、部屋管理部４５から受け取った部屋割当完了で指定されている部屋およびワイヤレスキー３から受信した会員ＩＤの指定を伴う解除パスワード生成指示を通知する。これを受けて、解除パスワード生成部４３は、現在日時および解除パスワード生成指示で指定されている会員ＩＤを用いてワンタイムパスワードを生成する。また、解除パスワード生成部４３は、部屋利用・予約状況記憶部４４を参照して、解除パスワード生成指示で指定されている部屋に対応付けられているテーブル４４０を特定する。そして、このテーブル４４０において、本日の日付がフィールド４４３に登録されているレコード４４２を始点として連続する、解除パスワード生成指示で指定された会員ＩＤがフィールド４４４に登録されているレコード４４２を特定し、この特定した連続するレコード４４２各々のフィールド４４７に、生成したワンタイムパスワードを解除パスワードとして登録する（Ｓ５０７）。それから、解除パスワード生成部４３は、解除パスワードを主制御部４７に通知する。
【０１１５】
つぎに、主制御部４７は、ワイヤレスキーインターフェース部４１を介してワイヤレスキー３に、解除パスワード生成部４３から受け取った解除パスワードを伴う解除パスワード書込要求を送信する（Ｓ５０８）。また、主制御部４７は、解除パスワード生成部４３から受け取った解除パスワードおよびワイヤレスキー３から受信した会員ＩＤを含む認証情報を伴う認証情報設定要求を生成し、この認証情報設定要求を、通信ネットワークインターフェース部４０を介して、部屋割当完了で指定されているアドレス４４１により特定されるドア錠制御装置１に送信する（Ｓ５０９）。
【０１１６】
また、主制御部４７は、利用者がワイヤレスキー３で自ドア錠管理装置４をタッチすることにより、ワイヤレスキーインターフェース部４１とワイヤレスキー３との間に通信路が確立された状態で、マンマシンインターフェース部４２を介して利用者から所定のチェックアウト操作を受け付けると（Ｓ５１０でＹＥＳ）、ワイヤレスキーインターフェース部４１を介してワイヤレスキー３に会員ＩＤ読出要求を送信して、ワイヤレスキー３から会員ＩＤを受信する（Ｓ５１１）。
【０１１７】
つぎに、主制御部４７は、ワイヤレスキー３から受信した会員ＩＤを部屋管理部４５に通知して、部屋の割り当ての解除を指示する。これを受けて、部屋管理部４５は、部屋利用・予約状況記憶部４４を参照し、この会員ＩＤにより特定される利用者に割り当てられている部屋を検索する（Ｓ５１２）。具体的には、部屋利用・予約状況記憶部４４に記憶されているテーブル４４０のなかから、本日の日付がフィールド４４３に登録され、且つ受信した会員ＩＤがフィールド４４４に登録されているレコード４４２を有するテーブル４４０を検索する。それから、部屋管理部４５は、検索したテーブル４４０において、本日の日付がフィールド４４３に登録され、且つ受信した会員ＩＤがフィールド４４４に登録されているレコード４４２のフィールド４４６に現在の時刻をチェックアウト時刻として登録する（Ｓ５１３）。この際、このテーブル４４０に登録されている各レコード４４２のフィールド４４７をリセットして解除パスワードを削除するようにしてもよい。その後、部屋管理部４５は、主制御部４７に、このテーブル４４０に対応付けられている部屋およびドア錠制御装置１のアドレス４４１の指定を伴う部屋割当解除完了を通知する。
【０１１８】
主制御部４７は、部屋管理部４５から部屋割当解除完了を受け取ると、料金算出部４６に、この部屋割当解除完了で指定されている部屋およびワイヤレスキー３から受信した会員ＩＤの指定を伴う追加料金算出指示を通知する。これを受けて、料金算出部４６は、部屋利用・予約状況記憶部４４を参照して、追加料金算出指示で指定されている部屋に対応付けられているテーブル４４０を特定する。そして、このテーブル４４０において、本日の日付がフィールド４４３に登録されたレコード４４２のフィールド４４６に登録されているチェックアウト時刻が所定時刻を越えているか否かを調べ、超えている場合はその超過時間に応じた追加料金を算出する（Ｓ５１４）。それから、料金算出部４６は、主制御部４７に、算出した追加料金を通知する。主制御部４７は、マンマシンインターフェース部４２に、料金算出部４６から受け取った追加料金を表示して、利用者に追加料金の清算を要求する。なお、利用者が利用料金を清算済みか否かについて登録するフィールドをテーブル４４０の各レコード４４２に設けておき、料金算出部４６が、Ｓ５０６において、利用者が利用料金を清算した各日付のレコード４４２に、利用料金清算済みである旨を登録し、Ｓ５１４において、利用料金清算済みである旨が登録されていないレコード４４２に対応する日数分の料金を追加料金として算出するようにしてもよい。
【０１１９】
つぎに、主制御部４７は、ワイヤレスキーインターフェース部４１を介してワイヤレスキー３に解除パスワード消去要求を送信する（Ｓ５１５）。また、主制御部４７は、通信ネットワークインターフェース部４０を介して、部屋割当解除完了で指定されているアドレス４４１により特定されるドア錠制御装置１に認証情報解除要求を送信する（Ｓ５１６）。
【０１２０】
なお、Ｓ５０６、Ｓ５１４における利用料金、追加料金の精算は、ワイヤレスキー３から受信した会員ＩＤにより特定される利用者に、後日、請求書を発行することにより実施してもよいし、あるいは、ドア錠管理装置４の料金算出部４６が、利用者から入金を受け付けることにより実施してもよい。
【０１２１】
以上、本発明の一実施の形態を説明した。
【０１２２】
本実施の形態において、ドア錠制御装置１は、ワイヤレスキー３より定期的に受信しているビーコン信号に付加された認証情報が自ドア錠制御装置１に設定されている認証情報と一致し、且つこのビーコン信号の受信電波強度が所定の第一基準値Ｔ１以上である場合に、ドア錠５を解錠する。そして、このビーコン信号の受信電波強度が第一基準値Ｔ１未満となった場合にドア錠５を施錠する。したがって、本実施の形態によれば、第一基準値Ｔ１を適切な値に設定することにより、ワイヤレスキー３を携帯する利用者は、ワイヤレスキー３を手にしてドアに近付けるといった特別な操作を行うことなく、ドアに近づくあるいはドアから離れるだけで、ドアの解錠あるいは施錠をすることが可能となる。
【０１２３】
また、本実施の形態において、ドア錠制御装置１は、ワイヤレスキー３より定期的に受信しているビーコン信号に付加された認証情報が自ドア錠制御装置１に設定されている認証情報と一致し、且つこのビーコン信号の受信電波強度が第一基準値Ｔ１より低い所定の第二基準値Ｔ２以上である場合に、案内灯６を点灯する。そして、このビーコン信号の受信電波強度が第二基準値Ｔ２未満となった場合に案内灯６を消灯する。したがって、本実施の形態によれば、第二基準値Ｔ２を適切な値に設定することにより、ワイヤレスキー３を携帯する利用者は、自身に割り当てられた部屋にある程度まで近づくことにより、この部屋の案内灯６が点灯するので、自身に割り当てられた部屋を探し出す手間が省略され、利用者の使い勝手を向上させることができる。
【０１２４】
また、本実施の形態において、ドア錠制御装置１は、自ドア錠制御装置１と同じ部屋に設置されたワイヤレスキーホルダ２にワイヤレスキー３が載置されている間、このワイヤレスキー３から定期送信される、自ドア錠制御装置１に設定されている認証情報と同じ認証情報が付加されたビーコン信号の受信電波強度にかかわらず、ドア錠５を施錠する。したがって、本実施の形態によれば、部屋に入室した利用者は、ワイヤレスキー３をワイヤレスキーホルダ２に置くだけでドアを自動的に施錠することができるので、利用者の使い勝手をさらに向上させることができる。
【０１２５】
また、本実施の形態において、ワイヤレスキー３は、解除パスワードが記憶されている場合にのみ、この解除パスワードを含む認証情報が付加されたビーコン信号を定期送信し、解除パスワードが記憶されていない場合にはビーコン信号を送信しない。また、ドア錠管理装置４は、ワイヤレスキー３に対する解除パスワードの記憶および消去を制御する。そして、ワイヤレスキー３に解除パスワードを記憶した場合に、この解除パスワードを含む認証情報を、利用者に割り当てられた部屋に設置されているドア錠制御装置１に設定し、ワイヤレスキー３から解除パスワードを消去した場合に、利用者に割り当てられた部屋に設置されているドア錠制御装置１に設定されている認証情報を解除する。したがって、本実施の形態によれば、ドア錠管理装置４を受付カウンタに設置して、利用者が携帯するワイヤレスキー３に対する解除パスワードの記憶および消去を行わせることにより、利用者は受付カウンタで施設の従業員等からキーを受け取ることなく、つまり、受付カウンタで施設の従業員等と顔を合わせることなく部屋を利用することが可能となる。
【０１２６】
なお、本発明は上記の実施の形態に限定されるものではなく、その要旨の範囲内で数々の変形が可能である。
【０１２７】
例えば、上記の実施の形態において、図４に示すドア錠制御装置１および図１２に示すドア錠管理装置４の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、Ｂｌｕｅｔｏｏｔｈ（登録商標）アダプタ、ＮＦＣアダプタ等の通信機を備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【０１２８】
同様に、図１０に示すワイヤレスキー３の機能構成も、ＡＳＩＣ、ＦＰＧＡなどの集積ロジックＩＣによりハード的に実現されるものでもよいし、あるいはＤＳＰなどの計算機によりソフトウエア的に実現されるものでもよい。または、ＣＰＵ、メモリ、ＨＤＤ、ＤＶＤ−ＲＯＭ等の補助記憶装置、およびＢｌｕｅｔｏｏｔｈ（登録商標）アダプタ、ＮＦＣアダプタ等の通信機を備えたスマートホン等の携帯端末において、ＣＰＵが所定のプログラムを補助記憶装置からメモリ上にロードして実行することで実現されるものでもよい。
【符号の説明】
【０１２９】
１、１−１〜１−３：ドア錠制御装置、  ２、２−１〜２−３：ワイヤレスキーホルダ、  ３：ワイヤレスキー、  ４：ドア錠管理装置、  ５、５−１〜５−３：ドア錠、  ６、６−１〜６−３：案内灯、  ７：通信ネットワーク、  １０：通信ネットワークインターフェース部、  １１：ビーコン信号受信部、  １２：ワイヤレスキーホルダインターフェース部、  １３：ドア錠インターフェース部、  １４：案内灯インターフェース部、  １５：ドア錠制御部、  １６：案内灯制御部、  １７：認証情報記憶部、  １８：主制御部、  ２０：ドア錠制御装置インターフェース部、  ２１：載置部、  ２２：載置状態検出部、  ２３：載置状態通知部、  ２４：送電部、  ２５：送電制御部、  ３０：ドア錠管理装置インターフェース部、  ３１：ビーコン信号送信部、  ３２：受電部、  ３３：充電制御部、  ３４：会員ＩＤ記憶部、  ３５：解除パスワード記憶部、  ３６：主制御部、  ４０：通信ネットワークインターフェース部、  ４１：ワイヤレスキーインターフェース部、  ４２：マンマシンインターフェース部、  ４３：解除パスワード生成部、  ４４：部屋利用・予約状況記憶部、  ４５：部屋管理部、  ４６：料金算出部、  ４７：主制御部
【図１】
0006610184.tif 000002
【図２】
0006610184.tif 000003
【図３】
0006610184.tif 000004
【図４】
0006610184.tif 000005
【図５】
0006610184.tif 000006
【図６】
0006610184.tif 000007
【図７】
0006610184.tif 000008
【図８】
0006610184.tif 000009
【図９】
0006610184.tif 000010
【図１０】
0006610184.tif 000011
【図１１】
0006610184.tif 000012
【図１２】
0006610184.tif 000013
【図１３】
0006610184.tif 000014
【図１４】
0006610184.tif 000015